(57)【要約】      （修正有）【課題】必要なときに必要なだけいつでも燃料・肥料用バイオマスペレットを製造・蓄積でき、環境にも貢献でき、化石燃料代金を浮かすことが出来て、生ごみ処理問題をも解決できる製造機を提供する。【解決手段】高圧力を得るのに１０トン用縦・横置き使用可能な格安市販品の手動ジャッキアップを用い、その圧力に耐えられるコンテナ・台座を鋼鉄製にする。生ごみバイオマス堆肥のダイオキシン発生の無い状態・現状（自治体等の大型プラントにおける生ごみ堆肥化ペレット製造）であり、そのバイオマス堆肥を手動で押し込みバイオマスビレット状態にして、それを圧縮してダイス孔刃から直接押し出してペレットを製造する。手動ハンドルにてジャッキアップを５〜１０トン圧縮すればペレットが押し出される。【選択図】図２
0003160328.tif 000002
【実用新案登録請求の範囲】
【請求項１】
プラント用ペレット製造機に対して、家庭用生ごみバイオマス堆肥ペレット製造機として発案し、実用のために、４・６ｍｍのダイスを通してペレットが作られる原理は、手動ジャッキ１０トン用を横置きＭＡＸ５トンから同縦置きＭＡＸ１０トンの圧力をステーと、ダミーブロックを通して、鋼鉄製台座・コンテナ内バイオマス堆肥（水分含有量１０〜２０％）ビレットを圧縮とそれに伴う高熱にてダイス孔を通過・押し出して作られる単純・簡易作業であって、社会的ごみ・環境問題の大型プラント化を排して、セパレート細分化の発想転換を行い、各家庭の発生源にて処理すれば、大型化せずに諸問題を解決できる単純発想・簡易実用で各家庭の化石燃料代を浮かすことが可能であり、しかも、そこにある既存道具を用いたところの低廉価格の家庭用生ごみバイオマス堆肥ペレット製造機は、バイオマスを用いて、しかも人力にて作業するために環境保護にも貢献できることは、一石二鳥であることが特徴です。
【考案の詳細な説明】
【技術分野】
【０００１】  本考案は、生ごみ発生の家庭単位ごとに、手押しのバイオマス堆肥ビレットを直接高圧にて押し出してペレット燃料を家庭単位で製造出来るものである。
【背景技術】
【０００２】  ペレット製造機は大型プラント工場でしか造れなくて、小型の物でも数百万円は下らなくて個人単位にて全く考えられない特別な世界であった。
【考案の概要】
【考案が解決しようとする課題】
【０００３】  生ごみの処理は、各市町村において苦慮している社会的大問題（経済・環境等々課題）であるが、全てが大型プラント化しているために、非経済的で、むしろ環境破壊に繋がっている。従いまして、それらに対処するべくセパレート化して、先ずは自分個人が、本格的ペレットが作れること、そして、より簡易実用的な物として考案したのである。
【課題を解決するための手段】
【０００４】  本考案は、生ごみ堆肥をプラント型でないセパレート家庭型製造機にて、ペレット化できる製造機を全て人力で行えて、余分な装置は極力排して、基本的構造部分について既存道具類を出来るだけ用いて製造することで課題を解決しようとしたものである。
【考案の効果】
【０００５】  上記のようにセパレート家庭型の対化石燃料に与しない、人力による、単純・簡易構造にして低廉価格でしかも本格的なバイオマス生ごみ堆肥燃料ペレット製造機を環境・家庭経済問題も、社会的ごみ問題をも解決できる家庭単位の製造機を考案したのである。
【図面の簡単な説明】
【０００６】
【図１】本考案の家庭用生ごみバイオマス堆肥ペレット製造機の実施例を示す正面図である。
【図２】本考案の心臓部の断面図である。
【図３】本考案のペレット押出口側面図である。
【図４】本考案の縦使用時の底部分の側面図である。
【図５】本考案の圧力源台座部を支える部分の断面図である
【考案を実施するための形態】
【０００７】  本格的な圧力型ペレット製造機でなければ、燃料としての価値も低いから、５から１０トンの圧力（横置きは５トン、縦置きは１０トンの圧力が得られる。）が人力・市販品で用意でき、低廉価格であるために、横置き作業可能なダルマジャッキ１０トン用を用い、その圧力に耐えられるための台座及び圧縮部分のコンテナを鋼鉄製にて設えて、ダミーブロックを手動にて出し入れすれば、バイオマス堆肥投入口から圧縮できる量のバイオマスビレットが収納されて、今度は、ジャッキの手動レバーを動かせば、５から１０トンの圧力にて、ダイス（４・６ｍｍ）からバイオマスビレットを押し出してペレット燃料が造られる最小にして、最大効果を得られる家庭用バイオマス堆肥ペレット製造機形態である。
【実施例】
【０００８】  以下添付図面符号に従って一実施例を説明する。１は生ごみバイオマス堆肥（水分量は１０〜２０％）を投入する受け口で、凡そ９のバイオマスビレット内容量４５０ＣＣ分が一度に投入できる。２はステムの取手にて、それを以って手動にてステムを押し込んで離せば、１のバイオマス堆肥が自重にて落ち込み、再びステム取手を以って押し込めばビレット内にバイオマス堆肥が詰まったバイオマスビレット状態になる。３は上記の押し込み伝動するバーである。４は２の詰まったバイオマスビレット状態になって初めて５のジャッキを手動にてハンドルを４５度の間を往復してジャッキアップ５〜１０トンの圧力を加える。５は１０トン低型ジャッキ市販品（マサダＭＨＢ−１０）で縦（ＭＡＸ１０トン）・横（ＭＡＸ５トン）置き使用できるものである。６はコンテナ・台座で、ジャッキを挟んで５〜１０トンの圧力に耐え得る為の鋼鉄製である。７は鋼鉄の４・６ｍｍの孔刃であるダイスをビレットが押し出されるに６ｍｍペレットが押され出てくるところである。８は５の台座を固定させる為の取り付金具である。９は生ごみバイオマス堆肥４５０ｃｃの容量で、１０はダミーブロックで、これは３のステーを通して５〜１０トンの圧力にてビレットを高圧縮する押出ブロック部分である。１１はオイルシーリングで潤滑油をフェルトシーリングに滲み込ませてビレット内壁シリンダーとの摩擦抵抗を減らし、尚且つ圧縮密度を高めることを目的とする。１２は１より落下するバイオマス堆肥が、２のステムを手動にて１のバイオマス堆肥を押し込む際に、１３のスプリング室内に入り込まないようにするためのダミーブロックのカバーである。１３はスプリングで、２のステム取手ビレット押込み時戻しスプリングにてステムが元の位置まで戻るようにしたものである。
【符号の説明】
【０００９】１  バイオマス堆肥搬入口
２  ステム取手ビレット押込用
３  ステム
４  ジャッキ手動ハンドル
５  １０トン低型ジャッキ市販品
６  コンテナ・台座鋼鉄製
７  ダイス４ｍｍ・６ｍｍ鋼鉄製孔刃
８  ジャッキ止め台座金具
９  ビレット（バイオマス堆肥圧縮状態）
１０  ダミーブロック
１１  オイルシーリング（フェルトシーリングに潤滑油を滲み込ませたもの）
１２  ダミーブロックカバー（スプリング室内カバー）
１３  スプリング（引っ張りバネにて、ステムを押し戻す）
【図１】
0003160328.tif 000003
【図２】
0003160328.tif 000004
【図３】
0003160328.tif 000005
【図４】
0003160328.tif 000006
【図５】
0003160328.tif 000007
【手続補正書】
【提出日】平成22年4月7日(2010.4.7)
【手続補正１】
【補正対象書類名】実用新案登録請求の範囲
【補正対象項目名】全文
【補正方法】変更
【補正の内容】
【実用新案登録請求の範囲】
【請求項１】
シリンダ状の形状であり、バイオマス堆肥が投入される投入口がその側部に設けられ、投入されたバイオマス堆肥がビレット状態で保持され、圧力によりペレットが押し出されるダイス孔がシリンダ空間の一方に開けられたコンテナと、
上記ダイス孔に対向する方向から上記コンテナ内に押し入れ可能で、上記投入されたバイオマス堆肥をコンテナ内にビレット状態に押し詰めるピストン状のステムと、
上記ステムを上記コンテナ内に押し入れ上記コンテナ内のビレット状態のバイオマス堆肥を圧縮して上記ダイス孔からペレット状に押し出すジャッキアップと
を有し、
上記バイオマス堆肥の水分含有量は１０ないし２０％であり、
上記ジャッキアップの圧力は、５〜１０トンの圧力である
ことを特徴とする家庭用バイオマス堆肥ペレット製造機。
【請求項２】
前記ステムの先端には、前記ダイス孔が中央に設けられたすりばち状の台座の形状に対応する砲弾形状のダミーブロックが設けられ、
前記ステムの前記ジャッキアップ側には、前記バイオマス堆肥をコンテナ内にビレット状態に押し詰めるために前記ステムを前記コンテナ内に出し入れさせる手動の取手が設けられた
請求項１記載の家庭用バイオマス堆肥ペレット製造機。
【請求項３】
前記ステムはスプリングを介して前記コンテナに取付られ、前記取手で前記コンテナ内に押し込んだときにスプリングの弾性力により元の位置に戻る
請求項２記載の家庭用バイオマス堆肥ペレット製造機。